(57)【特許請求の範囲】
【請求項１】
複数の相手方コネクタとそれぞれ嵌合するための複数のコネクタ嵌合部が設けられたハウジングと、前記各コネクタ嵌合部内に突出するように前記ハウジングに取り付けられた複数の端子と、前記複数の端子からノイズを除去するノイズ除去手段と、を備えたコネクタにおいて、
前記ノイズ除去手段が、前記各コネクタ嵌合部毎に設けられかつ前記端子が通された貫通穴をそれぞれ２つずつ有する複数のフェライトで構成され、
前記複数のフェライトが、前記２つの貫通穴の並び方向と直交する方向に並べられ、
前記ハウジングに、前記各フェライトを保持した付勢アームが複数設けられ、
前記各フェライトが、四角形の板状に形成されているとともにその中央に前記貫通穴が設けられ、
前記付勢アームが、前記各フェライトに対して一対ずつ設けられ、
前記一対の付勢アームが、互いの間に前記各フェライトを挟む位置に配置され、
前記各付勢アームに２つずつ突出部が設けられ、
前記一対の付勢アームの前記突出部が、前記各フェライトの四隅を付勢している
ことを特徴とするコネクタ。
【請求項２】
前記ハウジングが、前記複数のコネクタ嵌合部が設けられた第１のハウジングと、前記複数の付勢アームが設けられ、前記第１のハウジングに組み付けられた第２のハウジングと、で構成され、
前記第２のハウジングに、前記各フェライトの前記貫通穴が開口した一方の面に当接した当接面が設けられ、
前記第１のハウジングに、前記各フェライトの前記貫通穴が開口した他方の面にそれぞれ近接または当接して、前記各フェライトが前記第２のハウジングから脱落することを防止する複数の脱落防止部が設けられている
ことを特徴とする請求項１に記載のコネクタ。
【発明の詳細な説明】
【技術分野】
【０００１】
本発明は、ノイズ除去機能を有するコネクタに関するものである。
【背景技術】
【０００２】
従来より、ノイズ除去機能を有するコネクタが知られている。このコネクタの一例として、特許文献１には、ハウジング内にフェライトプレートがインサート成形されたコネクタが開示されている。以下、図１７，図１８を用いて前記特許文献１に開示されたコネクタの構成を説明する。
【０００３】
図１７に示すように、上記コネクタ２０１は、複数の相手方コネクタとそれぞれ嵌合するための複数のコネクタ嵌合部２３０が設けられた合成樹脂製のハウジング２０２と、各コネクタ嵌合部２３０内に突出した複数の端子６とこれら複数の端子６を連結した連結部７とを有する導電部材５と、複数の端子６からノイズを除去するフェライトプレート２０８と、を備えている。
【０００４】
上記フェライトプレート２０８は、図１８に示すように、細長いプレート状に形成されており、２つの導電部材５の端子６がそれぞれ通される複数の貫通穴２８０が設けられている。
【０００５】
また、導電部材５とフェライトプレート２０８とは、複数の端子６が貫通穴２８０に通された状態でハウジング２０２にインサート成形されている。
【先行技術文献】
【特許文献】
【０００６】
【特許文献１】特開２０１０−６１９０１号公報
【発明の概要】
【発明が解決しようとする課題】
【０００７】
しかしながら、上述した従来のコネクタ２０１においては、フェライトプレート２０８をインサート成形した際のハウジング２０２の収縮応力によりフェライトプレート２０８に歪みが生じて、該フェライトプレート２０８におけるノイズ除去性能が低下してしまうという問題があった。
【０００８】
したがって、本発明は、フェライトの変形を軽減してノイズ除去性能の低下を抑制することができるコネクタを提供することを目的とする。
【課題を解決するための手段】
【０００９】
上記目的を達成するために請求項１に記載された発明は、複数の相手方コネクタとそれぞれ嵌合するための複数のコネクタ嵌合部が設けられたハウジングと、前記各コネクタ嵌合部内に突出するように前記ハウジングに取り付けられた複数の端子と、前記複数の端子からノイズを除去するノイズ除去手段と、を備えたコネクタにおいて、前記ノイズ除去手段が、前記各コネクタ嵌合部毎に設けられかつ前記端子が通された貫通穴をそれぞれ２つずつ有する複数のフェライトで構成され、前記複数のフェライトが、前記２つの貫通穴の並び方向と直交する方向に並べられ、前記ハウジングに、前記各フェライトを保持した付勢アームが複数設けられ、前記各フェライトが、四角形の板状に形成されているとともにその中央に前記貫通穴が設けられ、前記付勢アームが、前記各フェライトに対して一対ずつ設けられ、前記一対の付勢アームが、互いの間に前記各フェライトを挟む位置に配置され、前記各付勢アームに２つずつ突出部が設けられ、前記一対の付勢アームの前記突出部が、前記各フェライトの四隅を付勢していることを特徴とするコネクタである。
【００１１】
請求項２に記載された発明は、請求項１に記載された発明において、前記ハウジングが、前記複数のコネクタ嵌合部が設けられた第１のハウジングと、前記複数の付勢アームが設けられ、前記第１のハウジングに組み付けられた第２のハウジングと、で構成され、前記第２のハウジングに、前記各フェライトの前記貫通穴が開口した一方の面に当接した当接面が設けられ、前記第１のハウジングに、前記各フェライトの前記貫通穴が開口した他方の面にそれぞれ近接または当接して、前記各フェライトが前記第２のハウジングから脱落することを防止する複数の脱落防止部が設けられていることを特徴とするものである。
【発明の効果】
【００１２】
請求項１に記載された発明によれば、前記ノイズ除去手段が、前記各コネクタ嵌合部毎に設けられかつ前記端子が通された貫通穴をそれぞれ２つずつ有する複数のフェライトで構成され、前記複数のフェライトが、前記２つの貫通穴の並び方向と直交する方向に並べられ、前記ハウジングに、前記各フェライトを保持した付勢アームが複数設けられているので、前記フェライトを前記ハウジングにインサート成形した場合と比較して、前記フェライトに加わる圧力を低くすることができ、前記フェライトの変形を軽減することができる。また、前記複数のフェライトを一体成形した場合と比較して、各々のフェライトに加わる圧力を低くすることができ、前記フェライトの変形を軽減することができる。よって、ノイズ除去性能の低下を抑制することができるコネクタを提供することができる。また、前記各フェライトが、四角形の板状に形成されているとともにその中央に前記貫通穴が設けられ、前記付勢アームが、前記各フェライトに対して一対ずつ設けられ、前記一対の付勢アームが、互いの間に前記各フェライトを挟む位置に配置され、前記各付勢アームに２つずつ突出部が設けられ、前記一対の付勢アームの前記突出部が、前記各フェライトの四隅を付勢しているので、当該フェライトの変形を最小限にすることができる。よって、ノイズ除去性能の低下を抑制することができるコネクタを提供することができる。
【００１４】
請求項２に記載された発明によれば、前記ハウジングが、前記複数のコネクタ嵌合部が設けられた第１のハウジングと、前記複数の付勢アームが設けられ、前記第１のハウジングに組み付けられた第２のハウジングと、で構成され、前記第２のハウジングに、前記各フェライトの前記貫通穴が開口した一方の面に当接した当接面が設けられ、前記第１のハウジングに、前記各フェライトの前記貫通穴が開口した他方の面にそれぞれ近接または当接して、前記各フェライトが前記第２のハウジングから脱落することを防止する複数の脱落防止部が設けられているので、前記フェライトが前記第２のハウジングから脱落することを防止することができる。
【図面の簡単な説明】
【００１５】
【図１】本発明の一実施の形態にかかるコネクタを示す平面図である。
【図２】図１に示されたコネクタの分解図である。
【図３】図１中のＡ−Ａ線に沿った断面図である。
【図４】図１中のＢ−Ｂ線に沿った断面図である。
【図５】図２に示された第２のハウジングの平面図である。
【図６】図５中のＣ部の拡大図である。
【図７】図５中のＤ−Ｄ線に沿った断面図である。
【図８】図２に示された第２のハウジングにフェライトが組み付けられる様子を示す斜視図である。
【図９】図８に示された一対の付勢アーム間にフェライトが嵌め込まれる様子を示す斜視図である。
【図１０】図９に示された一対の付勢アーム間にフェライトが嵌め込まれた状態を示す平面図である。
【図１１】図１０に示された一対の付勢アームの作用を説明するための説明図である。
【図１２】参考実施形態のコネクタを構成する第２のハウジングにフェライトが組み付けられた状態を示す斜視図である。
【図１３】図１２に示された第２のハウジング及びフェライトの平面図である。
【図１４】図１２に示された第２のハウジングの斜視図である。
【図１５】図１３中のＦ部の拡大図である。
【図１６】図１５中のＧ−Ｇ線に沿った断面図である。
【図１７】従来のフェライトプレートを備えたコネクタを示す断面図である。
【図１８】図１７に示されたコネクタを構成するフェライトプレート及び導電部材を示す斜視図である。
【発明を実施するための形態】
【００１６】
本発明の一実施の形態にかかるコネクタを図１〜図１１を参照して説明する。また、本発明のコネクタ１は、多重通信用のジョイントコネクタである。
【００１７】
図１及び図２に示すように、本発明のコネクタ１は、合成樹脂製の第１のハウジング３及び合成樹脂製の第２のハウジング４で構成されたハウジング２と、２つの導電部材５と、これら導電部材５に設けられた複数の端子６からノイズを除去するノイズ除去手段と、を備えている。また、前記ノイズ除去手段は、複数のフェライト８で構成されている。
【００１８】
上記導電部材５は、金属板にプレス加工等が施されて得られるものであり、図２、図３に示すように、互いに間隔をあけて並列に並べられた複数の端子６と、これら複数の端子６を連結した帯状の連結部７と、を有している。
【００１９】
上記フェライト８は、図１１に示すように、上面８１と下面８２と４つの側面８３，８４，８５，８６とを有する長方形の板状に形成されているとともにその中央に端子６が通される２つの貫通穴８０が設けられている。これら２つの貫通穴８０は、フェライト８の上面８１と下面８２とに開口している。また、２つの貫通穴８０は、フェライト８の長手方向に沿って互いに間隔をあけて配置されている。
【００２０】
上記第１のハウジング３には、図３に示すように、複数の相手方コネクタとそれぞれ嵌合するための複数のコネクタ嵌合部３０と、２つの導電部材５及び複数のフェライト８を保持した第２のハウジング４が収容される収容部３１と、が設けられている。
【００２１】
上記複数のコネクタ嵌合部３０は、角筒状に形成された外壁３２と、外壁３２の内部を当該外壁３２の中心軸方向に沿って２つの空間に仕切った奥壁３３と、前記２つの空間のうち図３中の左側に位置する一方の空間をさらに複数の空間に仕切った複数の隔壁３４と、により構成されている。また、複数のコネクタ嵌合部３０は、外壁３２の中心軸と直交する方向に沿って一列に並べられている。また、上述したフェライト８は、コネクタ嵌合部３０と同数設けられている。即ち、フェライト８は、各コネクタ嵌合部３０毎に設けられている。
【００２２】
上記収容部３１は、図３に示すように、上記外壁３２と、上記奥壁３３と、奥壁３３における各コネクタ嵌合部３０の反対側からそれぞれ突出した複数の脱落防止部３６と、により構成されている。即ち、脱落防止部３６は、コネクタ嵌合部３０と同数設けられている。これら複数の脱落防止部３６は、第２のハウジング４に保持された複数のフェライト８各々の上面８１に近接して、各フェライト８が第２のハウジング４から脱落することを防止する。また、奥壁３３及び脱落防止部３６には、端子６が通される貫通穴３５が設けられている。また、本発明においては、脱落防止部３６がフェライト８の上面８１に当接する構成であっても良い。
【００２３】
即ち、上記導電部材５は、複数の端子６がそれぞれ収容部３１側から各貫通穴３５を通されて各コネクタ嵌合部３０内に突出するようにハウジング２に取り付けられる。また、各コネクタ嵌合部３０内には、一方の導電部材５の１つの端子６と、他方の導電部材５の１つの端子６と、が配置される。
【００２４】
上記第２のハウジング４には、図３〜図９に示すように、矩形状に形成された導電部材取付部４０と、導電部材取付部４０の両側面に設けられた一対のロック部４９と、導電部材取付部４０の上面４１から導電部材取付部４０の長手方向に沿って互いに間隔をあけて立設した複数の立設壁４３と、複数の立設壁４３の上面４１から離れた端部同士を繋いだ一対の梁４４と、一対の梁４４から延設された複数の付勢アーム９と、が設けられている。
【００２５】
上記導電部材取付部４０には、２つの導電部材５が差し込まれて保持される２つの差込溝４２が設けられている。これら２つの差込溝４２は、導電部材取付部４０の幅方向に沿って互いに間隔をあけて設けられているとともに、導電部材取付部４０の上面４１及び下面に開口している。また、２つの導電部材５は、図４に示すように、導電部材取付部４０の下面側から各差込溝４２内に差し込まれ、連結部７が差込溝４２内に収容されるとともに複数の端子６が導電部材取付部４０の上面４１から突出する。
【００２６】
上記一対のロック部４９は、それぞれ、図３に示すように、第１のハウジング３の外壁３２に設けられた一対のロック受け部３７に係止する。即ち、第２のハウジング４は、一対のロック部４９が一対のロック受け部３７に係止することにより第１のハウジング３に組み付けられる。
【００２７】
上記一対の梁４４は、図５に示すように、導電部材取付部４０の幅方向に沿って互いに間隔をあけて配置されている。また、一対の梁４４と複数の立設壁４３とは、複数の枠が導電部材取付部４０の長手方向に沿って並んだ格好の格子を構成している。また、複数のフェライト８は、図８〜図１０に示すように、前記複数の枠の内側にそれぞれ位置付けられるとともにその下面８２が導電部材取付部４０の上面４１に当接する。前記導電部材取付部４０の「上面４１」は、特許請求の範囲に記載した「当接面」に相当する。
【００２８】
上記付勢アーム９は、各フェライト８を保持するためのものであり、各フェライト８に対して一対ずつ設けられている。また、一対の付勢アーム９は、図９などに示すように、互いの間に各フェライト８を挟む位置に配置されている。また、一対の付勢アーム９は、図７に示すように、一対の梁４４それぞれから互いに近付く方向に延びているとともに導電部材取付部４０の上面４１に向かって延びている。また、図４，図１０などに示すように、各フェライト８は、その長手方向が、一対の付勢アーム９同士が相対する方向となる向きで、一対の付勢アーム９間に嵌め込まれる。即ち、一対の付勢アーム９は、各フェライト８の長手方向の両側面８４，８６と相対する。
【００２９】
さらに、図６，図９に示すように、一対の付勢アーム９各々の中央部（一対の付勢アーム９同士が相対する方向と直交する方向の中央部）には、当該付勢アーム９の一部が削り取られた肉抜き部９１が設けられている。この肉抜き部９１は、一対の付勢アーム９が各フェライト８の側面８４，８６の中央部に弾性接触することを避けるために設けられている。即ち、中央に２つの貫通穴８０が設けられた構造の本発明のフェライト８は、これら貫通穴８０の近傍（即ち図１１中に二点鎖線で示すＥ部）に、２つの貫通穴８０の並び方向の圧力（即ち図１１中に示す矢印Ｊ１，Ｊ２方向の圧力）が加えられた場合に変形が生じ易い。よって、本発明では、前述した肉抜き部９１を設け、一対の付勢アーム９における肉抜き部９１の両側の突出部９２がフェライト８の四隅８ａ，８ｂ，８ｃ，８ｄに弾性接触する構成としている。
【００３０】
このように、本発明では、各フェライト８を保持した付勢アーム９が複数設けられているので、各フェライト８をハウジングにインサート成形した場合と比較して、各フェライト８に加わる圧力を低くすることができ、該フェライト８の変形を軽減することができる。また、複数のフェライト８を一体成形した場合と比較して、各々のフェライト８に加わる圧力を低くすることができ、該フェライト８の変形を軽減することができる。さらに、本発明では、一対の付勢アーム９の突出部９２が各フェライト８の四隅８ａ，８ｂ，８ｃ，８ｄを付勢することから、該フェライト８の変形を最小限にすることができる。よって、各フェライト８におけるノイズ除去性能の低下を抑制することができる。
【００３１】
また、本発明では、一対の付勢アーム９間に各フェライト８を嵌め込む際に一対の梁４４が変形することを防止するために、これら一対の梁４４と複数の立設壁４３とを連結させている。
【００３２】
続いて、上述したコネクタ１の組み立て手順を説明する。まず、第１のハウジング３と第２のハウジング４とを分離させた状態で、２つの導電部材５を第２のハウジング４の差込溝４２に差し込む。次に、導電部材取付部４０の上面４１から突出した端子６をフェライト８の貫通穴８０に通すとともに該フェライト８を一対の付勢アーム９間に嵌め込む。そして、２つの導電部材５及び複数のフェライト８を保持した第２のハウジング４を第１のハウジング３の収容部３１内に挿入し、一対のロック部４９を一対のロック受け部３７に係止させて、第２のハウジング４を第１のハウジング３に組み付ける。こうして、コネクタ１の組み立てが完了する。
【００３３】
次に、本発明の実施形態ではないが、参考となる参考実施形態のコネクタを図１２〜図１６を参照して説明する。また、図１２〜図１６において、本発明のコネクタ１と同一構成部分には同一符号を付して説明を省略する。
【００３４】
上記参考実施形態のコネクタは、第１のハウジング（図示は省略するが、本発明のコネクタ１の第１のハウジング３と同一構成である。）及び合成樹脂製の第２のハウジング１０４で構成されたハウジングと、２つの導電部材５と、これら導電部材５に設けられた複数の端子６からノイズを除去する複数のフェライト８と、で構成されている。
【００３５】
上記第２のハウジング１０４には、図１２〜図１４に示すように、矩形状に形成された導電部材取付部４０と、導電部材取付部４０の両側面に設けられた一対のロック部４９と、導電部材取付部４０の上面４１から角筒状に立設した枠部１４３と、複数のフェライト８を保持する複数の圧入部１０９と、が設けられている。
【００３６】
上記複数の圧入部１０９は、導電部材取付部４０の上面４１から円柱状に立設している。また、圧入部１０９は、各フェライト８に対して４つずつ設けられている。これら４つの圧入部１０９は、その一部が各フェライト８の四隅８ａ，８ｂ，８ｃ，８ｄと重なる位置にそれぞれ配置されている。即ち、各フェライト８は、４つの圧入部１０９を外側に弾性変形させる格好で４つの圧入部１０９間に圧入される。また、各フェライト８の圧入巾（図１５中のｈ１）及び圧入高さ（図１６中のｈ２）については、フェライト８の機能劣化が発生しない範囲で設定されている。
【００３７】
このように、参考実施形態のコネクタは、４つの圧入部１０９が各フェライト８の四隅８ａ，８ｂ，８ｃ，８ｄに弾性接触することで該フェライト８を保持することから、各フェライト８をハウジングにインサート成形した場合と比較して、各フェライト８に加わる圧力を低くすることができ、該フェライト８の変形を軽減することができる。また、複数のフェライト８を一体成形した場合と比較して、各々のフェライト８に加わる圧力を低くすることができ、該フェライト８の変形を軽減することができる。よって、各フェライト８におけるノイズ除去性能の低下を抑制することができる。
【００３８】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００３９】
１  コネクタ
２  ハウジング
６  端子
８  フェライト
９  付勢アーム
３０  コネクタ嵌合部
８０  貫通穴
【図１】
0005203436.tif 000002
【図２】
0005203436.tif 000003
【図３】
0005203436.tif 000004
【図４】
0005203436.tif 000005
【図５】
0005203436.tif 000006
【図６】
0005203436.tif 000007
【図７】
0005203436.tif 000008
【図８】
0005203436.tif 000009
【図９】
0005203436.tif 000010
【図１０】
0005203436.tif 000011
【図１１】
0005203436.tif 000012
【図１２】
0005203436.tif 000013
【図１３】
0005203436.tif 000014
【図１４】
0005203436.tif 000015
【図１５】
0005203436.tif 000016
【図１６】
0005203436.tif 000017
【図１７】
0005203436.tif 000018
【図１８】
0005203436.tif 000019